(57)【要約】      （修正有）【課題】屋根用シートを屋根の上面に対して十分な高さで取り付けることができ、しかも強固な屋根用シート固定部材を提供する。【解決手段】屋根用シート固定部材１は、四角錐状の構造体であり、正方形の下部枠体２と、下部枠体の各隅３と頂点４を結ぶ斜辺材５と、頂点４付近に形成された屋根用シート取り付け部６を有し、下部枠体２の一辺の長さと頂点４の高さが、高さ＝２×（下部枠体２の一辺の長さ）／πの関係を満たすよう構成する。【選択図】図１
0003156159.tif 000002
【実用新案登録請求の範囲】
【請求項１】
四角錐状の構造体であり、正方形の下部枠体と、下部枠体の各隅と頂点を結ぶ斜辺材と、頂点付近に形成された屋根用シート取り付け部を有し、下部枠体の一片の長さＢと頂点の高さＨがＨ＝２・Ｂ／πの関係を満たすことを特徴とする屋根用シート固定部材。
【考案の詳細な説明】
【技術分野】
【０００１】
この考案は、屋根用シートを屋根に取り付けるために使用する固定部材に関する。
【背景技術】
【０００２】
特許文献１には、温度上昇を防止するために屋根の上に設置される屋根用シートであって、シートと屋根との間の空間の風通しを十分に確保することができる屋根用シートが記載されている。平行に並んで設置される複数のシート片から構成される遮光シート部と、屋根に固定される部材であってシート片の両端を屋根に固定するシート止め部材とを備えている。シート止め部材を構成するシート受け部材はその延在方向に垂直な断面が凹状の細長い条材であり、シートの端部をこの凹部に挿入し、ジグザク状に折り曲げられた針金であるスプリングで固定する。
【先行技術文献】
【特許文献】
【０００３】
【特許文献１】実用新案登録第３１４１９７３号
【考案の概要】
【考案が解決しようとする課題】
【０００４】
特許文献１に記載されている屋根用シートにおいては、シートは凹状の細長い条材の凹部に挿入して取り付けられる。したがって、シートと屋根の距離は、この凹部の高さによって決定される。このシート受け部材は、例えば、スチール等からなる金属板を折り曲げたり、アルミ等の金属を押出加工することにより形成される（同文献００１７段落）。しかし、このような方法では、凹部の高いシート受け部材を作成することは困難であり、また、無理に作成しても、重量が著しく大きくなる。しかも、このような構造のシート受け部材には強度を高くすることができない。
【０００５】
また、遮光シートの長辺の両方がシート受け部材によって固定されるため、遮光シートの短辺側か、あるいはシート辺間のスリットからしか空気の出入りはない。そこで、十分な通風性を得るためにスリットの間隔を２０〜１００ｃｍあるいは３０ｃｍとすることが提案されている（同文献００３１段落）。しかし、幅３０ｃｍのシート片（同文献００１１段落）に対してこのような間隔を設ければ、スリットの面積は、シート片の面積と同等かそれより大きくなり、遮光性が低くなる。
【０００６】
さらに、このような凹状の細長い条材とスプリングによってシートを固定するには手間がかかり、屋根の上での作業には適さない。適切な張力を満遍なくかけてシートがしわにならないように取り付けることも困難である。
【０００７】
この考案は、屋根用シートを屋根に対して十分な高さで取り付けることができ、しかも強固な屋根用シート固定部材を提供することを目的とする。
【課題を解決するための手段】
【０００８】
上述の課題を解決するため、この考案の屋根用シート固定部材は、四角錐状の構造体であり、正方形の下部枠体と、下部枠体の各隅と頂点を結ぶ斜辺材と、頂点付近に形成された屋根用シート取り付け部を有し、下部枠体の一片の長さＢと頂点の高さがＨ＝２・Ｂ／πの関係を満たすことを特徴とする。
【考案の効果】
【０００９】
この考案の屋根用シート固定部材は、四角錐状の構造を有し、下部枠体の一片の長さＢと頂点の高さがＨ＝２・Ｂ／πの関係を満たすピラミッド形状であることより、さまざまな方向からの引っ張りに対して高い耐久力を有し、屋根用シートを屋根に対して十分な高さで取り付けることができる。
【図面の簡単な説明】
【００１０】
【図１】屋根用シート固定部材を示す正面図である。
【図２】同平面図である。
【図３】屋根用シートの取り付け状態を示す平面図である。
【図４】屋根用シートの角部を示す拡大平面図である。
【図５】同断面図である。
【考案を実施するための形態】
【００１１】
この考案を実施するための形態について図面に基づいて説明する。図１は屋根用シート固定部材を示す正面図、図２は同平面図である。
【００１２】
屋根用シート固定部材１は四角錐状の構造体であり、正方形の下部枠体２と、下部枠体２の各隅３と四角錐の頂点４を結ぶ斜辺材５と、頂点４付近に形成された屋根用シート取り付け部６を有する。
【００１３】
下部枠体２は、ここでは厚さ４．５ｍｍ、幅３２ｍｍの鋼板の帯状部材７を４枚組の組み合わせで形成されており、一辺の長さＢが５００ｍｍの正方形になっている。各隅３は帯状の帯状部材７同士の接続部になっており、厚さ１．６ｍｍの鋼板の補強板８によって補強されている。
【００１４】
ここでは、斜辺材５は外径２５．４ｍｍ、厚さ１．６ｍｍの鋼管を使用している。斜辺材５の下端は下部枠体２の各隅３に接続されており、この接続部にも補強板９が設けられている。また、４本の斜辺材５の上端同士は、下部枠体２の中心の上方にて接続され、この接続部にも補強板１０が設けられている。
【００１５】
こうして、正方形の下部枠体２と４本の斜辺材５により四角錐状の構造体が形成される。ここで、この四角錐の高さ、すなわち、下部枠体２に対する頂点４の高さＨと下部枠体２の一辺の長さＢは次の関係を満たすように設定される。
Ｈ＝２・Ｂ／π
ここで、πは円周率である。したがって、四角錐の斜辺の長さＬは次のようになる。
Ｌ＝√（Ｂ2／２＋Ｈ2）
こうして求められる斜辺の長さＬに基づいて斜辺材５の長さを定める。
【００１６】
このようにして形成される四角錐はいわゆるピラミッド構造の形状である。この形状により屋根用シート固定部材１は強固な構造物となる。頂点付近の屋根用シート取り付け部６に屋根用シートを取り付けたとき、頂点には様々な向きに引っ張る力がかかるが、この屋根用シート固定部材１は十分な耐久力を有する。
【００１７】
また、上述の例によると、下部枠体２の一辺の長さＢを５００ｍｍとしたとき、頂点の高さＨは３１９ｍｍとなり、根用シート取り付け部６を高い位置に設けることができる。下部枠体２の一辺の長さＢを５５２ｍｍとすると、頂点の高さＨは３５１ｍｍとなる。
【００１８】
ついで、屋根用シート固定部材１に屋根用シートを取り付ける例について説明する。図３は、屋根用シートの取り付け状態を示す平面図である。
【００１９】
この例では、屋根シート１１は、遮光用のメッシュシートを使用している。色について限定はないが、濃い色よりは白のほうが好ましい。大きさは、設置する屋根の形状や遮光したい範囲などに応じて適宜選択することができる。ここでは、長さ５ｍ、幅３．８ｍの大きさのものを使用している。
【００２０】
図４は屋根用シートの角部を示す拡大平面図であり、図５は同断面図である。屋根用シート２０は角部において４５度の角度の折り曲げ線で内側に折り込まれている。したがって、この折り曲げ線も辺として数えると八角形の形状である。折り込み部の内部には、折り曲げ線にそって直径１２ｍｍ、長さ３５０ｍｍの鉄筋２１が入れられている。そして、この鉄筋２１にはワイヤー押え２２が取り付けられる。ワイヤー押え２２は、鉄筋２１を収容することができる溝２２ａを有する一対の板材で、外周付近にはボルト取り付け穴２２ｂを有する。溝２２ａを鉄筋２１に合わせ、屋根用シート２０を挟むようにし、ボルト取り付け穴２２ｂにボルトを通して固定する。また、ワイヤー押え２２の中心付近には大きな穴２２ｃがあり、この部分は屋根用シート２０にも穴が形成されていて、シャックルなどの接続部材を通すことができるようになっている。ワイヤー押え２２の中心の穴２２ｃにシャックル２３を取り付け、さらにターンバックル２４およびシャックル２５を取り付けて屋根用シート取り付け部に接続している。ターンバックル２４の本体部の両端にメネジが設けられていて、これにアイボルトが取り付けられている。このアイボルトと本体部を相対的に回転させることにより、アイボルトは軸方向に進退するので、両アイボルトの環の距離を調整することができる。
【００２１】
ついで、屋根用シート２０の設置方法の例について説明する。まず、屋根用シート２０の四隅を固定すべき位置に屋根用シート固定部材１を取り付ける。スレート屋根に取り付ける場合、まず、架台２６を取り付ける。架台２６は略コの字状の断面を有する部材であり、厚さ１．６ｍｍのボンデ鋼板で形成され、溝部の幅および高さは８０ｍｍである。この架台２６をスレートの山線に沿ってかぶせ、ボルトによって固定する。各隅に２本の架台２６を平行に取り付ける。そして、この架台２６上に屋根用シート固定部材１をボルトによって固定する。
【００２２】
つぎに、この屋根用シート固定部材１に屋根用シート２０を取り付ける。屋根用シート２０の各角部にはワイヤー押え２２が取り付けられているので、このワイヤー押え２２にシャックル２３を取り付け、さらにターンバックル２４およびシャックル２５を取り付けて屋根用シート取り付け部に接続する。４つの角部をすべて接続したら、ターンバックル２４によって各部の長さを調整し、適切な張力が均等に加わるようにする。
【００２３】
なお、複数の屋根用シート２０を並べて設置し、より広い範囲をカバーすることもできる。たとえば、図３の下部に示すように、すでに設置されている屋根用シートのための屋根用シート固定部材を共用して、次の屋根用シートを取り付けることができる。したがって、新たな屋根用シート固定部材のためには２基の屋根用シート固定部材を追加すればよい。図３の左右方向にも屋根用シートを追加することができるので、１基の屋根用シート固定部材に４枚の屋根用シートの角部を固定することができる。
【００２４】
以上、極めて簡単な作業で屋根用シート固定部材１を設置することができる。使用する部材も少なく、低コストで実施できる。屋根用シート２０は屋根の表面より３０ｃｍ以上離して設置できるので、屋根用シート２０の熱が屋根に伝わりにくく、良好な断熱効果が得られる。また、屋根用シート２０と屋根の表面の間の通気性も良好である。
【００２５】
屋根用シート２０に吹き付ける風の方向は一定でないので、屋根用シート固定部材１の頂点４には様々な方向の加重がかかる。しかし、この屋根用シート固定部材１はピラミッド状の形状を有するので構造的に強固であり、あらゆる方向から加わる力に対して十分な耐久力を有する。
【００２６】
屋根用シート２０の交換や撤去もシャックル２３の開閉により簡単に行うことができる。さらに、屋根用シート固定部材１も簡単に撤去することができる。
【符号の説明】
【００２７】
１．屋根用シート固定部材
２．下部枠体
３．下部枠体の隅
４．頂点
５．斜辺材
６．屋根用シート取り付け部
２０．屋根用シート
【図１】
0003156159.tif 000003
【図２】
0003156159.tif 000004
【図３】
0003156159.tif 000005
【図４】
0003156159.tif 000006
【図５】
0003156159.tif 000007